(57)【特許請求の範囲】
【請求項１】
キャビネット本体の前部に内部に設けた収納部を開閉するための扉体を設け、この扉体の前面に端部を残して鏡板を取り付け、ＬＥＤを装着したアルミニウム製のベース材を上記扉体の前面の端部に沿わせて固定すると共に、上記ベース材に樹脂製のカバー材を被せて取り付けることで照明装置を配設したことを特徴とするミラーキャビネット。
【請求項２】
ベース材及びカバー材における各扉体端部側の端部間に着脱自在に軸支する軸支部と被軸支部とを設け、ベース材及びカバー材における鏡板隣接側の端部間に着脱自在に係止する係止部と被係止部とを設け、軸支部と被軸支部とを軸支してベース材の前面を覆うようにカバー材を鏡板側に回動させて係止部と被係止部とを係止してベース材にカバー材を着脱自在に取り付けたことを特徴とする請求項１に記載のミラーキャビネット。
【請求項３】
ベース材に対してカバー材が回動したときに被係止部に係止部を導くガイド部を設けたことを特徴とする請求項２に記載のミラーキャビネット。
【請求項４】
カバー材の鏡板隣接側の端部における前端部に、鏡板の端部の前面を被覆する鏡板被覆片を延出したことを特徴とする請求項１に記載のミラーキャビネット。
【請求項５】
取付状態のカバー材とベース材との長手方向の両端面を覆うように樹脂製のキャップ材をそれぞれ被着し、これらキャップ材に水抜き孔を穿設したことを特徴とする請求項１に記載のミラーキャビネット。
【請求項６】
扉体の裏板の前面周縁部に周枠を固定してこの周枠の前面に扉体の端部を残すように鏡板を被着し、鏡板と裏板と周枠とで囲まれた扉体の中空空間に照明装置へ給電するための給電線を配置し、鏡体が覆わない周枠の前面と中空空間とを連通する給電線挿通凹部を周枠に穿設し、鏡板にて覆われない扉体の端部に配設した照明装置に中空空間の給電線を給電線挿通凹部に挿通して接続したことを特徴とする請求項１に記載のミラーキャビネット。
【請求項７】
ベース材の下面に長手方向に亙る配線用溝を形成し、ベース材を周枠の前面に固定したとき配線用溝と給電線挿通凹部とを連通させ、給電線挿通凹部を挿通した給電線を配線用溝に収納したことを特徴とする請求項６に記載のミラーキャビネット。
【請求項８】
カバー材のＬＥＤに対向する部分をＬＥＤで発光した照明光を透過させる透明部にすると共に他の部分を非透明部にするべくカバー材を２色の押出し成形で形成したことを特徴とする請求項１に記載のミラーキャビネット。
【請求項９】
ベース材の扉体端部側の端部に位置決め突片を突設し、この位置決め突片を扉体の端部の側端面に引っ掛け係止したことを特徴とする請求項１に記載のミラーキャビネット。
【発明の詳細な説明】
【技術分野】
【０００１】
本発明は、ミラーキャビネットに関するものである。
【背景技術】
【０００２】
近年、ミラーキャビネットの照明には従来の電球や蛍光灯に比べて省スペース化や省電力化を図り得るＬＥＤを使用することが多くなってきており、たとえば特許文献１にはミラーキャビネットの扉体の前面に設けた鏡板の端部に亙って多数のＬＥＤを列状に配設したものが開示されている。しかし、このミラーキャビネットにあって、多数のＬＥＤが露出する外観は煩雑な印象を与えてしまい、すっきりとした良好な外観を現出できるものではなく、また、鏡板の端部にＬＥＤを直接取り付けることはその施工中に鏡板を誤って破損させる恐れもある。この問題に対して本出願人は、鏡板に隣接する扉体の前面部位にＬＥＤを覆うカバー材を設けてなる照明装置を配設することを考えたのであるが、ＬＥＤが発光する際には熱も発生するのであって、この熱がカバー材によって照明装置内に篭もることとなって熱による照明装置の劣化を引き起こすといった問題に新たに直面することとなった。
【特許文献１】特開２００１−７８９０９号公報
【発明の開示】
【発明が解決しようとする課題】
【０００３】
本発明は上記の従来の問題点に鑑みて為したものであって、すっきりとした良好な外観を現出でき、鏡板の破損の恐れも低減でき、更にはＬＥＤで発生する熱を効果的に放熱できるミラーキャビネットを提供することを課題とするものである。
【課題を解決するための手段】
【０００４】
上記課題を解決するために本発明の請求項１に係るミラーキャビネットは、キャビネット本体４の前部に内部に設けた収納部５を開閉するための扉体６を設け、この扉体６の前面に端部を残して鏡板７を取り付け、ＬＥＤ１５を装着したアルミニウム製のベース材１９を上記扉体６の前面の端部に沿わせて固定すると共に、上記ベース材１９に樹脂製のカバー材２０を被せて取り付けることで照明装置１４を配設したことを特徴とする。これによると、ＬＥＤ１５を装着したベース材１９にカバー材２０を被せてなる照明装置１４を鏡板７にて覆われない扉体６の前面の端部に配設したことで、ＬＥＤ１５が露出されずにすっきりとした良好な外観を現出できると共に、鏡板７に照明装置１４を直接取付けるものでないから鏡板７の破損の恐れも低減できるのであり、また、発光するＬＥＤ１５が発する熱は高い熱伝導性を備えたアルミニウム製のベース材１９を介して扉体６に放熱させることができ、照明装置１４内から熱を逃がして照明装置１４の熱による破損の恐れも無くすることができると共に、鏡板７をその裏面から上記熱が付与された扉体６にて温めることができて鏡板７の曇り防止にも資することができる。
【０００５】
また、請求項２に係るミラーキャビネットは、請求項１において、ベース材１９及びカバー材２０における各扉体端部側の端部間に着脱自在に軸支する軸支部４１と被軸支部４０とを設け、ベース材１９及びカバー材２０における鏡板隣接側の端部間に着脱自在に係止する係止部２３と被係止部２２とを設け、軸支部４１と被軸支部４０とを軸支してベース材１９の前面１９ａを覆うようにカバー材２０を鏡板側に回動させて係止部２３と被係止部２２とを係止してベース材１９にカバー材２０を着脱自在に取り付けたことを特徴とする。これによると、鏡板７が取り付けられた扉体６の前面に固定したベース材１９にカバー材２０を取り付けるには、ベース材１９とカバー材２０とを各扉体端部側（鏡板７と反対側）の端部に設けた軸支部４１と被軸支部４０とで軸支させ、カバー材２０の扉体端部側（鏡板７と反対側）の部位に手を引っ掛けて鏡板側に引き寄せてベース材１９の前面１９ａを覆うようにカバー材２０を鏡板側に回動させ、各鏡板隣接側の端部に設けた係止部２３と被係止部２２とを係止させてベース材１９にカバー材２０を取り付けるといった、特に工具も必要とせず、鏡板７の端部などにカバー材２０が当たって鏡板７が破損する恐れも無く、施工者の手が鏡板７の端部などに当たって傷付く等の恐れも無いような良好な施工作業で行わせることができる。
【０００６】
また、請求項３に係るミラーキャビネットは、請求項２において、ベース材１９に対してカバー材２０が回動したときに被係止部２２に係止部２３を導くガイド部２４を設けたことを特徴とする。これによると、ガイド部２４によってベース材１９に対してカバー材２０が回動したときに被係止部２２に係止部２３を導入させることができて、カバー材２０のベース材１９への取付施工における施工性を更に良好にできる。
【０００７】
また、請求項４に係るミラーキャビネットは、請求項１において、カバー材２０の鏡板隣接側の端部における前端部に、鏡板７の端部の前面を被覆する鏡板被覆片３４を延出したことを特徴とする。これによると、鏡板７の端部を鏡板被覆片３４にて保護することができて鏡板７を破損する恐れを低減できると共に、鏡板７と照明装置１４との隙間を隠すことができてすっきりとした外観を現出できる。
【０００８】
また、請求項５に係るミラーキャビネットは、請求項１において、取付状態のカバー材２０とベース材１９との長手方向の両端面を覆うように樹脂製のキャップ材２１をそれぞれ被着し、これらキャップ材２１に水抜き孔３９を穿設したことを特徴とする。アルミニウム製のベース材１９はＬＥＤ１５への給電の際に漏電した場合には通電する部位であるが、樹脂製のキャップ材２１やカバー材２０で金属製のベース材１９を覆わせてこのベース材１９を外方に露出しないようにできるから絶縁構造を確保して安全性を高めることができるのであり、また、ミラーキャビネット１が洗面化粧台３に配設された場合など、ミラーキャビネット１の近傍で使用された水が照明装置１４に付着してその内部に侵入したとしても、水抜き孔３９からすみやかに上記水を抜くことができて水による照明装置１４の損傷の恐れを低減できるのであり、更に言うと、しばしば洗面化粧台３は浴室に隣接する脱衣所に配設されるのであって、浴室から蒸気が照明装置１４にかかったとしても、各キャップ材２１の水抜き孔３９を通して照明装置１４内を通気でき、蒸気の湿気を照明装置１４内に篭もらせないようにできる。
【０００９】
また、請求項６に係るミラーキャビネットは、請求項１において、扉体６の裏板１０の前面周縁部に周枠１１を固定してこの周枠１１の前面に扉体６の端部を残すように鏡板７を被着し、鏡板７と裏板１０と周枠１１とで囲まれた扉体６の中空空間１３に照明装置１４へ給電するための給電線１６を配置し、鏡体が覆わない周枠１１の前面部位と中空空間１３とを連通する給電線挿通凹部４２を周枠１１に穿設し、鏡板７にて覆われない扉体６の端部に配設した照明装置１４に中空空間１３の給電線１６を給電線挿通凹部４２に挿通して接続したことを特徴とする。これによると、照明装置１４へ給電するための給電線１６を扉体６の内部に収納させて外部に露出しないようにできて、すっきりした外観を現出することができる。
【００１０】
また、請求項７に係るミラーキャビネットは、請求項６において、ベース材１９の下面に長手方向に亙る配線用溝２６を形成し、ベース材１９を周枠１１の前面に固定したとき配線用溝２６と給電線挿通凹部４２とを連通させ、給電線挿通凹部４２を挿通した給電線１６を配線用溝２６に収納したことを特徴とする。これによると、ベース材１９の内部に給電線１６を収まり良く配置でき、ベース材１９と扉体６との間で給電線１６が噛み込まれることを防止できると共に、給電線１６はベース材１９とカバー材２０との間に位置されないようにもできるから給電線１６がカバー材２０に陰をつくらないようにできて外観の低下を回避できる。
【００１１】
また、請求項８に係るミラーキャビネットは、請求項１において、カバー材２０のＬＥＤ１５に対向する部分をＬＥＤ１５で発光した照明光を透過させる透明部３５にすると共に他の部分を非透明部３６にするべくカバー材２０を２色の押出し成形で形成したことを特徴とする。これによると、カバー材２０を比較的容易に製造することができ、ＬＥＤ１５の発光による照明光を非透明部３６で遮らせて透明部３５から所定の方向に向けてのみ照射させることができる。
【００１２】
また、請求項９に係るミラーキャビネットは、請求項１において、ベース材１９の扉体端部側の端部に位置決め突片２５を突設し、この位置決め突片２５を扉体６の端部の側端面に引っ掛け係止したことを特徴とする。これによると、位置決め突片２５を扉体６の端部の側端面に引っ掛け係止させることで、ベース材１９を扉体６の端部の所定位置に簡単に配置できると共に、照明装置１４の扉体６への配設作業の際にベース材１９を鏡板７に当てて鏡板７を破損させてしまう恐れを低減できる。
【発明の効果】
【００１３】
本発明は、すっきりとした良好な外観を現出でき、鏡板の破損の恐れも低減でき、更にはＬＥＤで発生する熱を効果的に放熱できるといった利点を有する。
【発明を実施するための最良の形態】
【００１４】
以下、本発明を添付図面に示す実施形態に基いて説明する。
【００１５】
図１のように本例のミラーキャビネット１は洗面ボウル２ａを備えた洗面台２の後部上方に配設されたものであって洗面化粧台３の構成要素となっている。ミラーキャビネット１のキャビネット本体４は前方に開口せる矩形箱状に形成されると共にその内部を棚板や縦仕切板で仕切って洗面具等を収納するための収納部５が設けられている。本例の収納部５は２枚の縦仕切板で左収納部、中央収納部、右収納部に仕切られており、各収納部５では隣接する縦仕切板の間に棚板が上下に適当な間隔で架設されている。そして、キャビネット本体４の前部には各収納部５に対応して扉体６がそれぞれ枢支、配設されて各扉体６で各収納部５が開閉自在にされており、各扉体６の前面には略全面に亙るようにそれぞれ鏡板７が設けられ、ミラーキャビネット１が構成されている。このミラーキャビネット１にあっては、各収納部５を閉塞するよう各扉体６を位置させた場合にはミラーキャビネット１の前方に立つ使用者の正面姿を映す一面鏡をミラーキャビネット１の前部の略全面に亙るように大きく形成できるのであり、また、中央収納部を閉塞するよう中央扉体６ａを位置させると共に左収納部及び右収納部をそれぞれ開放するよう左扉体６ｂ及び右扉体６ｃを位置させた場合には使用者の正面姿及び両側面姿を映す三面鏡を形成できるようにされている。つまり、左扉体６ｂは中央収納部と左収納部とを仕切る縦仕切板に枢支され、右扉体６ｃは中央収納部と右収納部とを仕切る縦仕切板に枢支されていて、それぞれ対向するように回動可能にされているのである。なお、本例では扉体６はキャビネット本体４に対してスライド蝶番８で回動自在に取り付けられている。スライド蝶番８は、図２，３に示すように、キャビネット本体４に取り付けられる本体取付部材８ａと、扉体６に取り付けられる扉取付部材８ｂと、本体取付部材８ａと扉取付部材８ｂとを接続する展伸・折り畳み自在な平行リンクプレート８ｃとを備えている。図中の８ｄ，８ｅは平行リンクプレート８ｃの一端側の枢支部、８ｆ，８ｇは他端側の枢支部、８ｈは蝶番取付用板である。扉体６を開くと図３のように平行リンクプレート８ｃが展伸することによって扉体６がその回動軸を前方にスライドさせてキャビネット本体４に扉体６の回動軸側の端部がぶつからずに開閉可能となり、扉体６を閉じると図２のように平行リンクプレート８ｃが折り畳まれて扉取付部材８ｂに納められて扉体６の裏面がキャビネット本体４の前端面に沿わせた状態で収納部５を閉じられるようになっている。なお、図中の９は扉体６の裏面に凹設された扉取付部材８ｂを収納するための凹所である。
【００１６】
ここで、扉体６は、図４のように、裏板１０の前面周縁部に一対の縦桟１１ａ及び横桟１１ｂを矩形状に枠組みしてなる周枠１１を固定し、図５のように、周枠１１の前面に各桟１１ａ，１１ｂの長手方向に亙るようにして両面テープ１２を貼着し、この周枠１１の前面に周囲に亙るように配置された両面テープ１２の前面に鏡板７の裏面周縁部を貼着することで形成されている。すなわち、扉体６は裏板１０と周枠１１と鏡板７との間が中空空間１３にされていて軽量化が図られている。図５の扉体６は中央扉体６ａであるが、この中央扉体６ａにはミラーキャビネット１の前方に立つ使用者や洗面台２を照らすための照明装置１４が配設される。照明装置１４はＬＥＤ１５を用いた装置であって、図１のように中央扉体６ａの両幅端部に上下に亙るように配設されている。詳しくは、中央扉体６ａの前面ではその両幅端部（両面テープ１２が貼着されない周枠１１の縦桟１１ａにおける約半分外側の部位）を残すようにして鏡板７が配設されており、上記鏡板７が無い中央扉体６ａの両幅端部に照明装置１４が固定、配設されるようにされている。なお、図５のように、照明装置１４が配設される扉体６の中空空間１３にはキャビネット本体側から照明装置１４に給電させる給電線１６（キャビネット側給電線１６ｂ）が収納配置されており、このキャビネット側給電線１６ｂの先端に設けたプラグ部１６ｂ１が後述の周枠１１の給電線挿通凹部４２に収納配置されている。このキャビネット側給電線１６ｂのプラグ部１６ｂ１は給電線挿通凹部４２を跨ぐように位置する両面テープ１２に貼着しておくと、外れることなく給電線挿通凹部４２内に収納させ続けることができて好ましい。
【００１７】
詳しくは、照明装置１４は、図６のように、プラグ部１６ａ１を有した給電線１６（ユニット側給電線１６ａ）に繋がれた多数のＬＥＤ１５を金属製の長尺のプレート１７上に一直線状に列設してなるＬＥＤユニット１８（図７）と、このＬＥＤユニット１８を前面１９ａに装着すると共に裏面１９ｂを扉体６の前面に沿わせて固定させる長尺のベース材１９と、ＬＥＤ１５を装着したベース材１９を周囲から覆うようにベース材１９に取付ける長尺のカバー材２０と、扉体６の上下端面にそれぞれ固定されて一体化したベース材１９及びカバー材２０の長手方向の各端部をそれぞれ覆うキャップ材２１とを組み付けることで形成されるものである。
【００１８】
ベース材１９は、図８，９のように、熱伝導性の良好なアルミニウム製の押出し成形で製造可能な長尺材であり、その前面１９ａはベース材１９の幅方向且つ前方に面する傾斜面状に形成されている。ここで、後述するようにベース材１９は一方の幅方向の端部を鏡板７に沿わせると共に他方の端部を扉体６の幅方向の端部に沿わせるようにして配設されるのであり、便宜上、鏡板７に隣接する側のベース材１９の幅方向の端部を鏡板隣接側の端部と称し、反対側の端部を扉体端部側の端部と称する。上記ベース材１９の前面１９ａは、すなわち鏡板隣接側の端部が一番裏面１９ｂに近づいて位置されていて扉体端部側の端部に行くほどに裏面１９ｂから遠のくように前方に突出して位置される傾斜面に形成されている。また、ベース材１９の両幅端部の側端面にはそれぞれ凹条溝状の被係止部２２が内方へ凹むように形成されている。ベース材１９の幅方向の端部のうちの鏡板隣接側の端部における側端面にあっては被係止部２２の前方隣接部位に後述のカバー材２０の係止部２３を滑らせて被係止部２２に導入させるためのガイド部２４が形成されている。このガイド部２４はベース材１９の前面１９ａと側端面とのコーナー部で前方に突条部２４ａを突設し、この突条部２４ａの前面２４ａ１は鏡板側且つ前方に面するような傾斜面に形成したことで構成されている。また、ベース材１９の幅方向の端部のうちの扉体端部側の端部における側端面と裏面１９ｂとのコーナー部には裏方に突出する位置決め突片２５が形成されている。また、ベース材１９の裏面１９ｂには長手方向に亙ってＬＥＤ１５に給電する給電線１６を収納するための配線用溝２６が穿設されている。また、ベース材１９にはその適所に、扉体６に固定するビスを挿通させる固定用孔２７や、ＬＥＤユニット１８を固定する樹脂製ネジを螺合させるビス孔２８が前後に貫通するように形成され、また、ベース材１９の前面１９ａに取り付けたＬＥＤ１５に至る給電線１６を挿通させる配線用孔２９が配線用溝２６と連通するようにして形成されている。なお、ベース材１９の前面１９ａにＬＥＤユニット１８を装着するには、ＬＥＤユニット１８のプレート１７に穿設した貫通孔とベース材１９のビス孔２８とを位置合わせをして、プレート１７の前方から樹脂製ネジを貫通孔に挿通させてビス孔２８に螺合させることで行われている。
【００１９】
カバー材２０は、図１０のように、非導電性の樹脂製の長尺材であって、ベース材１９に取付けした状態でベース材１９の傾斜面状の前面１９ａに略平行に対向するような傾斜面状の前面板部３０を有し、前面板部３０の幅方向のうちの扉体端部側には隣接して扉体端部側の端部に行くほど裏方に位置する傾斜面状の逃げ面部３１が形成されている。詳しくは、この逃げ面部３１は、照明装置１４を扉体６に配設した際に、その後端部が鏡板７の前面位置よりも後方に位置するように形成されている。また、前面板部３０の鏡板隣接側の端部及び逃げ面部３１の扉体端部側の端部からはそれぞれ裏方に向けて脚片３２が突設されている。詳しくは、一対の脚片３２のうち鏡板隣接側の脚片３２ａにあってはその突出先端に係止部２３を構成せる爪部２３ａが内方（脚片３２の対向方向）に向けて突設されている。一方、扉体端部側の脚片３２ｂにあっては、鏡板隣接側の脚片３２ａよりも突出長さが長く形成され、その突出先端には扉体６の側端面に当接して覆うような側面被覆片３３が形成されており、突出先端近傍には係止部２３を構成せる突条部２３ｂが内方（脚片３２の対向方向）に向けて突設されている。また、前面板部３０の鏡板隣接側の端部からは鏡板側に向けて鏡板７の端部の前面を覆うための鏡板被覆片３４が形成されている。なお、本例のカバー材２０は、ＬＥＤ１５に対向する前面板部３０をＬＥＤ１５で発光した照明光が透過する透明部３５にすると共に、前面板部３０以外の他の全ての部分を照明光が透過し得ない非透明部３６（たとえばシルバー色）にするべく、２色の押出し成形で製造されている。つまり、カバー材２０は比較的容易に製造することができるのであり、またＬＥＤ１５の発光による照明光を非透明部３６で遮らせて透明部３５から所定の方向に向けてのみ照射可能にされている。更に言うと、上記透明部３５の内面部にはローレット加工３５ａが施されており、対向したＬＥＤ１５からの照明光を拡散するようにされている。
【００２０】
キャップ材２１は、図１１，１２のように、扉体６に固定したベース材１９に取付けしたカバー材２０の長手方向の端面から扉体６の上下端面の一部に跨って被覆するような非透明で且つ非導電性の樹脂製の板状部材であり、このキャップ材２１の外縁部にはカバー材２０の長手方向の端部に引っ掛けて位置決めする位置決め片３７が突設されており、扉体６の上下端面にキャップ材２１を固定するための固定用ネジを挿通させる固定用孔３８や照明装置１４内に侵入した水を抜くための水抜き孔３９が穿設されている。詳しくは、上記固定用孔３８は固定用ネジの頭部を収めるザグリ付きの貫通孔であり、水抜き孔３９は本例では一対並べて設けられている。
【００２１】
この照明装置１４のミラーキャビネット１の扉体６への取付けは、まず、ＬＥＤユニット１８を前面１９ａに装着したベース材１９を、扉体６の前面の端部における鏡板７が被着されずに周枠１１の前面が露出した部分に固定する。詳しくは、上記扉体６の前面の幅端部における露出した周枠１１の縦桟１１ａの前面部位に、上記縦桟１１ａの前面にベース材１９の裏面１９ｂを沿わせると共に、ベース材１９の傾斜面状の前面１９ａを鏡板側に向け、更に鏡板７と間隔をあけるようにしてベース材１９を配置し、固定用孔２７にビスを挿通させて周枠１１の縦桟１１ａに打入してベース材１９を固定させている。ここで、ベース材１９の周枠１１の前面への配置にあたってはベース材１９の位置決め突片２５を周枠１１の外側端面に引っ掛けることで位置決めを伴って行い得るようにされている。しかして、ベース材１９の周枠１１の前面への配置作業はベース材１９を鏡板７の端部などに当てて鏡板７を破損させる恐れを無くして行い得るようにされている。なお、周枠１１の縦桟１１ａには上記ベース材１９が固定される部位と中空空間１３とを連通するような切欠状の給電線挿通凹部４２が穿設されており、ベース材１９はその配線用溝２６及び配線用孔２９を上記周枠１１の給電線挿通凹部４２に連通させるようにして固定される。また、本例では２本のベース材１９を一直線に並べて扉体６に固定させており、各ＬＥＤユニット１８のユニット側給電線１６ａ同士は接続されて配線用溝２６に収納された状態でユニット側給電線１６ａのプラグ部１６ａ１に至るようにされている。このようにベース材１９と扉体６との間でユニット側給電線１６ａが噛み込まれることを防止してベース材１９の内部に給電線１６を収まり良く配置可能にしている。ここで、ユニット側給電線１６ａのプラグ部１６ａ１は給電線挿通凹部４２内に収納配置されるのであり、このとき予め周枠１１の給電線挿通凹部４２内に収納配置されているキャビネット側給電線１６ｂのプラグ部１６ｂ１と接続することで照明装置１４に給電を可能にさせている。
【００２２】
次に、上記扉体６に固定したベース材１９にカバー材２０を取り付ける。図１３のように、カバー材２０の側面被覆片３３を扉体６の側端面（本例では周枠１１の縦桟１１ａの外側端面）に当接し、この当接点を軸にしてカバー材２０をベース材１９の前面１９ａに被せるように鏡板側に回動するとほどなくしてカバー材２０の突条部２３ｂがベース材１９の扉体端部側の被係止部２２に挿入される。この状態では、側面被覆片３３がベース材１９の位置決め突片２５に裏方から引っ掛かると共に突条部２３ｂが被係止部２２に引っ掛かっていて、カバー材２０はベース材１９に着脱可能な状態で枢支可能に保持されている。カバー材２０の扉体端部側の脚片３２ｂの突出先端の近傍部位がカバー材２０の回動の軸部となる部位であってこの部位を被軸支部４０と称し、上記軸支部４１を枢支するベース材１９の扉体端部側の部位を軸支部４１と称したときには、軸支部４１と被軸支部４０との着脱自在な枢支構造によって回動操作中のカバー材２０はベース材１９に保持されていると言うことができる。そして、続けてカバー材２０を鏡板側に回動させると、カバー材２０の鏡板隣接側の係止部２３がベース材１９のガイド部２４に当接されてベース材１９の鏡板隣接側の被係止部２２に導入されてこの被係止部２２に係止される。詳しくは、カバー材２０の鏡板隣接側の係止部２３を構成する爪部２３ａの裏面２３ａ１は内方（一対の脚片３２の対向方向）に行くほど前方に位置する傾斜面状に形成されており、この傾斜面状に形成された爪部２３ａの裏面２３ａ１は上記ガイド部２４を構成する突条部２４ａの傾斜面に形成された前面２４ａ１と略平行な状態で対面して当接され、続けてカバー材２０を回動させると、爪部２３ａの裏面２３ａ１が突条部２４ａの前面２４ａ１の傾斜に沿ってスムーズに鏡板側且つ裏方に向けてスライドし、このときこの係止部２３を有する鏡板隣接側の脚片３２ａは鏡板側に開くように弾性変形される。そして、更に続けてカバー材２０を回動させると、ガイド部２４にスムーズにスライドされた鏡板隣接側の係止部２３はベース材１９の鏡板隣接側の被係止部２２に導入されて弾性復帰をして強く係止される。このときには上記挿入状態にあった鏡板隣接側の係止部２３及び被係止部２２も係止された状態になる。このように、特に工具なども必要とせず、カバー材２０をベース材１９に対して回動させるといった良好な施工作業でカバー材２０をベース材１９に取り付けることができたものであり、カバー材２０をベース材１９に取付けした状態では両幅端部における係止部２３と被係止部２２との係止によって強固な取付け強度を確保できたものとなっている。ここで、係止部２３と被係止部２２との係止構造にてカバー材２０はベース材１９に取り付けられるから着脱自在であり、つまり、カバー材２０はベース材１９に着脱自在に取り付けられているのである。また上述したベース材１９へのカバー材２０の取付施工にあっては、回動しているカバー材２０は確実にその一端がベース材１９に枢支保持されて予期した位置に確実に存在する状態とされていることから、鏡板７の端部などにカバー材２０が当たって鏡板７が破損する恐れの無い取付施工とされている利点も有している。更に言うと、カバー材２０を回動させるには、施工者はカバー材２０の扉体端部側（鏡板７と反対側）に手を引っ掛けて鏡板側に引き寄せる動作で行うのであるから、施工者の手が鏡板７の端部などに当たって傷付く等の恐れも無い安全な作業が確保されているという利点も有しているのである。
【００２３】
最後に、扉体６の上端面及び下端面にそれぞれキャップ材２１を固定する。扉体６の上端面及び下端面には上記扉体６に固定したベース材１９に取付けしたカバー材２０の長手方向の端面がそれぞれ略面一に位置しており、キャップ材２１の位置決め片３７をカバー材２０の前面に沿わせて位置決めを行って扉体６の上端面（または下端面）にキャップ材２１を配置し、キャップ材２１の固定用孔３８に固定用ネジを挿通して扉体６の上端面（または下端面）に打入することでキャップ材２１を扉体６に固定するのである。このキャップ材２１によるとベース材１９に取付けしたカバー材２０の長手方向の端部を被覆することができたものである。なお、ベース材１９に取付けしたカバー材２０はベース材１９の周囲を覆うようにしている。したがって、扉体６に配設した照明装置１４の外方への露出部位は樹脂製のカバー材２０及びキャップ材２１にて構成でき、つまり金属製のベース材１９が外方に露出されないようにさせているのである。
【００２４】
上述のようにして照明装置１４を扉体６に取り付けてなる本例のミラーキャビネット１にあっては、照明装置１４にＬＥＤ１５を用いて照明装置１４の小型化を図ることができたものであるが、従来技術の例のようにＬＥＤ１５そのものが外方に露出されるものではなく、カバー材２０が外方に露出されるものであって、すっきりとした良好な外観を現出できたものである。また、照明装置１４の配設施工中に隣接する鏡板７の端部を破損させる恐れを低減させるために照明装置１４と鏡板７の端部との間には隙間が設けられているが、この隙間もカバー材２０の鏡板被覆片３４にて目隠しされるので、これによってもすっきりとした良好な外観を現出できたものである。なお、カバー材２０の鏡板被覆片３４によると照明装置１４の配設後に鏡板７の端部を覆って保護することもできるから照明装置１４の配設後における鏡板７の端部の破損の恐れも低減できたものである。
【００２５】
また、照明装置１４に給電させる給電線１６は扉体６の中空空間１３内及びベース材１９の配線用溝２６内に収納されるのであり、給電線１６を外方に露出させずにすっきりとした良好な外観を現出できたものであると共に、給電線１６は照明装置１４のカバー材２０内（ＬＥＤ１５とカバー材２０との間）にも位置しないから、ＬＥＤ１５の照明光に給電線１６の陰をつくらないようにもできて、これによっても良好な外観を現出できるのである。
【００２６】
更に言うと、本例の照明装置１４によると鏡板側に面する傾斜面状のベース材１９の前面１９ａに装着したＬＥＤ１５によって鏡板７の前方に立つ使用者を良好に照らすことができたものであり、しかも、扉体６の両幅端部に配設した一対の照明装置１４によって鏡板７の前方に立つ使用者を左右前方から陰をつくらないように良好に照らすことができたものである。ところで、このように鏡板７の前方を良好に照らすためには、照明装置１４に隣接する鏡板７の端部が陰をつくることのないように、鏡板７よりも前方に突出するように照明装置１４を配設することになって、つまり扉体６の幅方向の端部に前方突出部位をつくることになって扉体６の回動の際には扉体６の幅方向の端部がキャビネット本体４や隣接する扉体６にぶつかるなどの不具合が生じ易くなって、通常、これを避けるためにスライド蝶番８の前方スライド量を大きく採ることになって、キャビネット本体４の収納部５を開放するべく扉体６を開けた際にはキャビネット本体４から扉体６が前方に突出してキャビネット本体４と扉体６とが離れて位置するような違和感を使用者に対して与えてしまうものであるが、本例の照明装置１４のカバー材２０における幅方向の扉体端部側の端部には扉体端部側の端部に行くほど裏方に位置する傾斜面状の逃げ面部３１が形成されているから、扉体６の回動の際に扉体６の幅方向の端部がキャビネット本体４や隣接する扉体６にぶつかることを極力回避しており、つまりスライド蝶番８の前方スライド量の低減が図られているのであって、キャビネット本体４の収納部５を開放するべく扉体６を開けた際にはキャビネット本体４と扉体６とが離れて位置するような違和感を使用者に対して与えてしまう恐れを低減できたものであり、これによっても良好な外観を現出できたものである。
【００２７】
まム製であるから、発光するＬＥＤ１５が発する熱は高い熱伝導性を備えたアルミニウム製のベース材１９を介して扉体６に放熱させることができ、照明装置１４内から熱を逃がして照明装置１４の熱による破損や故障の恐れも無くすることができるようにされているのである。なお、上記扉体６に放熱させた熱は鏡板７をその裏面から温めることができるのであり、鏡板７の曇り防止にも資することができるという利点も有している。
【００２８】
また、万が一、ＬＥＤ１５に給電する給電経路から漏電が発生した際には、アルミニウム製のベース材１９は上記漏電が通電する恐れが高い部材であるが、このアルミニウム製のベース材１９は扉体６に配設した照明装置１４において外方に露出するものではなく、扉体６に配設した照明装置１４において外方に露出するのは絶縁性を備えた樹脂製のカバー材２０及びキャップ材２１であるから、上記漏電を使用者に至らしめないような良好な絶縁構造を得ることができたものである。
【００２９】
また、本例のミラーキャビネット１のように洗面化粧台３などの水廻りで使用されたものは、ミラーキャビネット１近傍で使用される水が跳ねたりして照明装置１４に水が付着して照明装置１４内に水が侵入する恐れもあるが、本例では照明装置１４の下端部分を構成するキャップ材２１の水抜き孔３９を設けているから、照明装置１４内に侵入した水もすみやかに抜くことかできて、水による照明装置１４の破損や故障等の恐れを低減することができたものである。更に言うと、洗面化粧台３はしばしば浴室に隣接する脱衣所に配設されるものであって、洗面化粧台３を構成するミラーキャビネット１には浴室からの蒸気がかかることもあるが、水抜き孔３９が穿設されたキャップ材２１は照明装置１４の上下端部を覆うようにそれぞれ設けられていて上記水抜き孔３９を介して照明装置１４内が通気可能にされているから、照明装置１４内に蒸気の湿気が篭もらないようにもされている。
【００３０】
また、寿命や破損等の理由で照明装置１４を取り替える際には、上述した照明装置１４の扉体６への取付施工を逆の手順で行うこととなるが、このとき給電線１６におけるユニット側給電線１６ａ及びキャビネット側給電線１６ｂの各プラグ部１６ｂ１，１６ａ１は扉体６からベース材１９を取り外した後に外方へ露出する周枠１１の給電線挿通凹部４２内に収納配置されていて、つまり、各プラグ部１６ｂ１，１６ａ１の取外し作業は鏡板７の扉体６を取り外すことなく容易に行えると共に、取り外した後のキャビネット側給電線１６ｂのプラグ部１６ｂ１を再び周枠１１の給電線挿通凹部４２内に収納配置させておけば、その後に行う新たな照明装置１４の扉体６への取付施工を良好に行うことができるものである。
【００３１】
なお、本実施形態では、中央扉体６ａの両幅端部に照明装置１４をそれぞれ配設させたミラーキャビネット１を例示したが、照明装置１４は、中央扉体６ａのみならず左扉体６ｂや右扉体６ｃに配設してもよいものであり、たとえば図１４のように、中央扉体６ａの両幅端部に加えて、ミラーキャビネット１の幅方向の端部を構成する左扉体６ｂの左側端部や、ミラーキャビネット１の幅方向の端部を構成する右扉体６ｃの右側端部にそれぞれ配設することも好ましい。これによっても、先の実施形態と同様の作用効果を得られるのは言うまでもない。
【図面の簡単な説明】
【００３２】
【図１】本発明の実施の形態の例であり、（ａ）は洗面化粧台を構成するミラーキャビネットの全体斜視図であり、（ｂ）は要部の水平断面図である。
【図２】同上の扉体が収納部を閉塞した状態の要部の水平断面図である。
【図３】同上の扉体が収納部を開放した状態の要部の水平断面図である。
【図４】同上の鏡板を装着する前の扉体であり、（ａ）は平面図であり、（ｂ）は断面図である。
【図５】同上の扉体の一部切欠正面図である。
【図６】同上の照明装置の分解正面図である。
【図７】同上のＬＥＤユニットの正面図である。
【図８】同上のベース材であり、（ａ）は平面図であり、（ｂ）は側面図である。
【図９】（ａ）は図８（ａ）のＡ−Ａ線断面図であり、（ｂ）は図８（ａ）のＢ−Ｂ線断面図であり、（ｃ）は図８（ａ）のＣ−Ｃ線断面図であり、（ｄ）は図８（ａ）のＤ−Ｄ線断面図であり、（ｅ）は図８（ａ）のＥ−Ｅ線断面図である。
【図１０】同上のカバー材であり、（ａ）は平面図であり、（ｂ）は側面図であり、（ｃ）は（ａ）のＦ−Ｆ線断面図である。
【図１１】同上のキャップ材であり、（ａ）は正面図であり、（ｂ）は上面図であり、（ｃ）は側面図である。
【図１２】同上のキャップ材であり、（ａ）は裏面図であり、（ｂ）は（ａ）のＧ−Ｇ線断面図であり、（ｃ）は（ａ）のＨ−Ｈ線断面図であり、（ｄ）のＩ−Ｉ線断面図である。
【図１３】同上のカバー材のベース材への取付施工を説明する説明図である。
【図１４】本発明の実施の形態の他例の洗面化粧台を構成するミラーキャビネットの全体斜視図である。
【符号の説明】
【００３３】
１  ミラーキャビネット
４  キャビネット本体
５  収納部
６  扉体
６ａ  中央扉体
７  鏡板
１４  照明装置
１５  ＬＥＤ
１６  給電線
１８  ＬＥＤユニット
１９  ベース材
２０  カバー材
２１  キャップ材
２２  被係止部
２３  係止部
２４  ガイド部
２５  位置決め突片
２６  配線用溝
３３  側面被覆片
３４  鏡板被覆片
３５  透明部
３６  非透明部
４０  被軸支部
４１  軸支部
【図１】
0004508068.tif 000002
【図２】
0004508068.tif 000003
【図３】
0004508068.tif 000004
【図４】
0004508068.tif 000005
【図５】
0004508068.tif 000006
【図６】
0004508068.tif 000007
【図７】
0004508068.tif 000008
【図８】
0004508068.tif 000009
【図９】
0004508068.tif 000010
【図１０】
0004508068.tif 000011
【図１１】
0004508068.tif 000012
【図１２】
0004508068.tif 000013
【図１３】
0004508068.tif 000014
【図１４】
0004508068.tif 000015